(57)【要約】【課題】かつらベース及びかつらにおいて、染色作業を省略するとともに外観を自然にする。【解決手段】毛髪２が植毛されるかつらベース１であって、第１のベース材１４ａと、この第１のベース材の一部と重なるように配置された第２のベース材１４ｂと、この第２のベース材の一部と重なるように配置された第３のベース材１４ｃと、を有する複数のベース材を備える。複数のベース材は、上記３つのベース材のうち第１のベース材１４ａのみが配置された第１の領域Ａ１と、上記３つのベース材のうち第１のベース材１４ａ及び第２のベース材のみが互いに重なるように配置され第１の領域とは異なる色の第２の領域Ａ２と、上記３つのベース材が互いに重なるように配置され第１の領域及び第２の領域とは異なる色の第３の領域Ａ３と、を含む。【選択図】図１
2015030937.tif 000002
【特許請求の範囲】
【請求項１】
毛髪が植毛されるかつらベースであって、
第１のベース材と、該第１のベース材の一部と重なるように配置された第２のベース材と、該第２のベース材の一部と重なるように配置された第３のベース材と、を有する複数のベース材を備え、
前記複数のベース材は、
前記第１のベース材、前記第２のベース材、及び前記第３のベース材のうち前記第１のベース材のみが配置された第１の領域と、
前記第１のベース材、前記第２のベース材、及び前記第３のベース材のうち前記第１のベース材及び前記第２のベース材のみが互いに重なるように配置され前記第１の領域とは異なる色の第２の領域と、
前記第１のベース材、前記第２のベース材、及び前記第３のベース材が互いに重なるように配置され前記第１の領域及び前記第２の領域とは異なる色の第３の領域と、を含む、
ことを特徴とするかつらベース。
【請求項２】
前記第２のベース材は、前記第１のベース材と前記第３のベース材との間に配置されていることを特徴とする請求項１記載のかつらベース。
【請求項３】
前記第３のベース材は、前記第１のベース材と前記第２のベース材との間に配置されていることを特徴とする請求項１記載のかつらベース。
【請求項４】
前記第１の領域は、前記かつらベースの周縁に位置することを特徴とする請求項１から請求項３のいずれか１項記載のかつらベース。
【請求項５】
前記第２の領域は、前記第１の領域よりも前記かつらベースの中央側に位置し、
前記第３の領域は、前記第２の領域よりも前記かつらベースの中央側に位置する、
ことを特徴とする請求項４記載のかつらベース。
【請求項６】
前記第１の領域と前記第２の領域との境界は、前記第１の領域側に突出するとともに前記第２の領域側に突出する凹凸形状に形成され、
前記第２の領域と前記第３の領域との境界は、前記第２の領域側に突出するとともに前記第３の領域側に突出する凹凸形状に形成されている、
ことを特徴とする請求項５記載のかつらベース。
【請求項７】
請求項１から請求項６のいずれか１項記載のかつらベースと、
前記かつらベースに植毛された毛髪と、
を備えることを特徴とするかつら。
【発明の詳細な説明】
【技術分野】
【０００１】
本発明は、毛髪が植毛されるかつらベース、及び、かつらベースと毛髪とを備えるかつらに関する。
【背景技術】
【０００２】
従来、かつらの外観を自然に見せるための工夫として、かつらベース自体の色を複数色に染色する方法が知られている。
例えば、地色である黒色部分と、他の色彩である肌色部分と、これらの境界であるぼかし着色部分とが形成されたかつら用キャップが提案されている（例えば、特許文献１参照）。
【０００３】
また、複数のベース素材が接合部にて接合されてなるかつらベースを、少なくとも１つのベース素材が接合部に近づくにつれて色が濃くなるように染色する染色方法が提案されている（例えば、特許文献２参照）。
【先行技術文献】
【特許文献】
【０００４】
【特許文献１】実開平２−９４２１７号公報
【特許文献２】特開２０１３−５７１５０号公報
【発明の概要】
【発明が解決しようとする課題】
【０００５】
しかしながら、かつらベースを複数色に染色する場合、例えば繰り返し染色を行う必要があるなど、非常に手間がかかる作業を要し、作業効率が悪い。
また、かつらベースの材料には、主に合成繊維が使用されているが、合成繊維には染色性が悪い素材もある。
【０００６】
更には、染料などの薬品による作用によって、かつらベース自体を傷めてしまうおそれもある。
本発明の目的は、染色作業を省略することができるとともに外観を自然にすることができるかつらベース及びかつらを提供することである。
【課題を解決するための手段】
【０００７】
１つの観点では、かつらベースは、毛髪が植毛されるかつらベースであって、第１のベース材と、該第１のベース材の一部と重なるように配置された第２のベース材と、該第２のベース材の一部と重なるように配置された第３のベース材と、を有する複数のベース材を備える。前記複数のベース材は、前記第１のベース材、前記第２のベース材、及び前記第３のベース材のうち前記第１のベース材のみが配置された第１の領域と、前記第１のベース材、前記第２のベース材、及び前記第３のベース材のうち前記第１のベース材及び前記第２のベース材のみが互いに重なるように配置され前記第１の領域とは異なる色の第２の領域と、前記第１のベース材、前記第２のベース材、及び前記第３のベース材が互いに重なるように配置され前記第１の領域及び前記第２の領域とは異なる色の第３の領域と、を含む。
【０００８】
また、前記かつらベースにおいて、前記第２のベース材は、前記第１のベース材と前記第３のベース材との間に配置されているようにしてもよい。
また、前記かつらベースにおいて、前記第３のベース材は、前記第１のベース材と前記第２のベース材との間に配置されているようにしてもよい。
【０００９】
また、前記かつらベースにおいて、前記第１の領域は、前記かつらベースの周縁に位置するようにしてもよい。
また、前記かつらベースにおいて、前記第２の領域は、前記第１の領域よりも前記かつらの中央側に位置し、前記第３の領域は、前記第２の領域よりも前記かつらの中央側に位置するようにしてもよい。
【００１０】
また、前記かつらベースにおいて、前記第１の領域と前記第２の領域との境界は、前記第１の領域側に突出するとともに前記第２の領域側に突出する凹凸形状に形成され、前記第２の領域と前記第３の領域との境界は、前記第２の領域側に突出するとともに前記第３の領域側に突出する凹凸形状に形成されているようにしてもよい。
【００１１】
１つの観点では、かつらは、前記かつらベースと、前記かつらベースに植毛された毛髪と、を備える。
【発明の効果】
【００１２】
本発明によれば、染色作業を省略することができるとともに外観を自然にすることができる。
【図面の簡単な説明】
【００１３】
【図１】本発明の一実施の形態に係るかつらを示す平面図である。
【図２】本発明の一実施の形態における複数のベース材を簡略的に示す平面図である。
【図３】本発明の一実施の形態における複数のベース材を簡略的に示す断面図である。
【図４Ａ】本発明の一実施の形態に係るかつらの製造方法の一例を説明するための正面図（その１）である。
【図４Ｂ】本発明の一実施の形態に係るかつらの製造方法の一例を説明するための正面図（その２）である。
【図４Ｃ】本発明の一実施の形態に係るかつらの製造方法の一例を説明するための正面図（その３）である。
【図５】本発明の一実施の形態の第１変形例に係るかつらベースを示す平面図である。
【図６Ａ】本発明の一実施の形態の第２変形例における生え際部の付け替え作業を説明するための平面図（その１）である。
【図６Ｂ】本発明の一実施の形態の第２変形例における生え際部の付け替え作業を説明するための平面図（その２）である。
【図６Ｃ】本発明の一実施の形態の第２変形例における生え際部の付け替え作業を説明するための平面図（その３）である。
【図７】本発明の他の実施の形態における複数のベース材を簡略的に示す平面図である。
【図８】本発明の他の実施の形態における複数のベース材を簡略的に示す断面図である。
【発明を実施するための形態】
【００１４】
以下、本発明の実施の形態に係るかつらベース及びかつらについて、図面を参照しながら説明する。
図１は、本発明の一実施の形態に係るかつら１を示す平面図である。
【００１５】
図２及び図３は、本実施の形態における複数のベース材１４ａ，１４ｂ，１４ｃを簡略的に示す平面図及び断面図である。
図１に示すかつら１は、かつらベース１０と、このかつらベース１０に植毛された毛髪２０と、を備える。なお、図１において、毛髪２０は、かつらベース１０を見えやすくするため、一部のみ図示する。毛髪２０は、かつらベース１０に対し、例えば、結着、接着などの任意の手法により植毛される。
【００１６】
かつらベース１０は、中央部１１と、周縁部１２と、分け目部１３と、生え際部１４と、を備える。中央部１１、周縁部１２、分け目部１３、及び生え際部１４は、それぞれ周縁において隣接する各部に接合されている。
【００１７】
中央部１１は、側頭部及び後頭部の周縁に位置する周縁部１２よりもかつらベース１０の中央（例えばつむじ部）側に位置する部分である。周縁部１２は、中央部１１を折り返した部分であってもよい。また、周縁部１２は、中央部１１と独立して設けなくともよい。
【００１８】
分け目部１３は、かつらベース１０の前頭部から中央へ例えば帯状に延びる。分け目部１３は、かつらベース１０の中央側よりも前頭部側において幅が広がっている。
生え際部１４は、かつらベース１０の前頭部の周縁に設けられている。生え際部１４は、分け目部１３上に或いは周縁部１２上に形成されていてもよい。
【００１９】
生え際部１４は、複数のベース材により形成されている。図１〜図３に示すように、複数のベース材は、第１のベース材１４ａと、第２のベース材１４ｂと、第３のベース材１４ｃと、を有する。
【００２０】
第１のベース材１４ａ、第２のベース材１４ｂ、及び第３のベース材１４ｃは、例えばネット素材からなるが、人工皮膚などのシート状素材であってもよい。
第１のベース材１４ａは、生え際部１４の例えば全体に亘って配置されている。図３に示すように、第１のベース材１４ａの前端には、補強用の折り返し部１４ｄが形成されているが、省略することも可能である。
【００２１】
第２のベース材１４ｂは、第１のベース材１４ａの一部（例えば生え際部１４の前端部分を除いた中間部分及び後端部分）と重なるように配置されている。
第３のベース材１４ｃは、第２のベース材１４ｂの一部（例えば生え際部１４の前端部分及び中間部分を除いた後端部分）と重なるように配置されている。
【００２２】
複数のベース材（第１のベース材１４ａ、第２のベース材１４ｂ、及び第３のベース材１４ｃ）は、これらのベース材のうち第１のベース材１４ａのみが配置された第１の領域Ａ１を含む。この第１の領域Ａ１は、かつらベース１０の周縁に位置する。
【００２３】
また、複数のベース材は、これらのベース材のうち第１のベース材１４ａ及び第２のベース材１４ｂのみが互いに重なるように配置された第２の領域Ａ２を含む。この第２の領域Ａ２は、第１の領域Ａ１よりもかつらベース１０の中央（例えばつむじ部）側に位置する。
【００２４】
また、複数のベース材は、これらのベース材が互いに重なるように配置された第３の領域Ａ３を含む。この第３の領域Ａ３は、第２の領域Ａ２よりもかつらベース１０の中央（例えばつむじ部）側に位置する。
【００２５】
ここで、第１のベース材１４ａ、第２のベース材１４ｂ、及び第３のベース材１４ｃは、内側（反対側にある部材）が少しでも透けて見えることが望ましい。この点、第１のベース材１４ａ、第２のベース材１４ｂ、及び第３のベース材１４ｃがネット素材からなる場合は、網目の隙間から内側が少しでも透けて見えるといえる。これにより、第２の領域Ａ２は、第１のベース材１４ａのみが配置された第１の領域Ａ１と比較して、更に第２のベース材１４ｂが配置されているため、第１の領域Ａ１とは異なる色を呈する。異なる色としては、第１のベース材１４ａと第２のベース材１４ｂとが同一色を呈する場合には、第１の領域Ａ１よりも濃い色となる。
【００２６】
また、第３の領域Ａ３は、第１のベース材１４ａ及び第２のベース材１４ｂのみが配置された第２の領域Ａ２と比較して、更に第３のベース材１４ｃが配置されているため、第２の領域Ａ２とは異なる色を呈する。異なる色としては、第１のベース材１４ａ、第２のベース材１４ｂ、及び第３のベース材１４ｃとが同一色を呈する場合には、第２の領域Ａ２よりも濃い色となる。このように、生え際部１４の色は、周縁側（第１のベース材１４ａ側）から中央側（第３のベース材１４ｃ側）に近づくにつれて色が段階的に濃くなるように変化するとよい。但し、色が段階的に薄くなったり、濃い色と薄い色とが交互に連続したりすることで外観が自然に見えることもありうることから、色の変化の態様は制限されない。なお、分け目部１３、第１のベース材１４ａ、第２のベース材１４ｂ、及び第３のベース材１４ｃがネット素材からなる場合、第１のベース材１４ａ、第２のベース材１４ｂ、及び第３のベース材１４ｃの網目を分け目部１３の網目よりも大きくするとよい。
【００２７】
なお、図１では、便宜上、生え際部１４のみに黒の濃淡で色を示しており、その他の部分の色は省略している。実際には、生え際部１４は、装着者の肌との関係で目立ちにくい色（例えば淡いベージュ）とするとよい。
【００２８】
図２及び図３に示すように、第１のベース材１４ａ、第２のベース材１４ｂ、第３のベース材１４ｃは、底から、第１のベース材１４ａ、第２のベース材１４ｂ、第３のベース材１４ｃの順に配置されている。このように、第２のベース材１４ｂは、第１のベース材１４ａと第３のベース材１４ｃとの間に配置されている。なお、第１のベース材１４ａがかつらベース１０の底面に位置することで、かつら１装着者の頭部に第２のベース材１４ｂや第３のベース材１４ｃの周縁が当接するのを防ぐことができる。
【００２９】
図１に示すように、第１の領域Ａ１と第２の領域Ａ２との境界である第１の境界Ｂ１は、第１の領域Ａ１側に突出するとともに第２の領域Ａ２側に突出する凹凸形状に形成されている。
【００３０】
また、第２の領域Ａ２と第３の領域Ａ３との境界である第２の境界Ｂ２は、第２の領域Ａ２側に突出するとともに第３の領域Ａ３側に突出する凹凸形状に形成されている。
また、第３の領域Ａ３と分け目部１３との境界である第３の境界Ｂ３は、第３の領域Ａ３側に突出するとともに分け目部１３側に突出する凹凸形状に形成されている。
【００３１】
各境界Ｂ１〜Ｂ３においては、例えばミシンによる縫着、接着、溶着などにより各ベース材が固定される。縫着による固定では、目立ちにくいように細い糸を用いることが望ましい。なお、図２は模式的な図面であり、各境界の凹凸形状部分の図示は省略する。
【００３２】
図４Ａ〜図４Ｃは、本実施の形態に係るかつらの製造方法の一例を説明するための正面図である。
まず、図４Ａに示すように、第１のベース材１４ａが分け目部１３の前方に配置され、固定される。このとき、既に中央部１１、周縁部１２、及び分け目部１３は互いに固定されているものとする。
【００３３】
次に、図４Ｂに示すように、第２のベース材１４ｂが第１のベース材１４ａの上部に固定される。そして、図４Ｃに示すように、第３のベース材１４ｃが第２のベース材１４ｂの上部に固定され、生え際部１４が完成する。
【００３４】
なお、予め第１のベース材１４ａと第２のベース材１４ｂと第３のベース材１４ｃとが一体に固定された生え際部１４を分け目部１３の前方に配置するようにしてもよい。
以上説明した本実施の形態では、毛髪２０が植毛されるかつらベース１０は、第１のベース材１４ａと、この第１のベース材１４ａの一部と重なるように配置された第２のベース材１４ｂと、この第２のベース材１４ｂの一部と重なるように配置された第３のベース材１４ｃと、を有する複数のベース材を備える。また、これら複数のベース材は、第１の領域Ａ１、第２の領域Ａ２、及び第３の領域Ａ３を含む。第１の領域Ａ１は、第１のベース材１４ａ、第２のベース材１４ｂ、及び第３のベース材１４ｃのうち第１のベース材１４ａのみが配置された領域である。第２の領域Ａ２は、第１のベース材１４ａ、第２のベース材１４ｂ、及び第３のベース材１４ｃのうち第１のベース材１４ａ及び第２のベース材１４ｂのみが互いに重なるように配置され、第１の領域Ａ１とは異なる色の領域である。第３の領域Ａ３は、第１のベース材１４ａ、第２のベース材１４ｂ、及び第３のベース材１４ｃが互いに重なるように配置され、第１の領域Ａ１及び第２の領域Ａ２とは異なる色の領域である。
【００３５】
そのため、第１のベース材１４ａ、第２のベース材１４ｂ、及び第３のベース材１４ｃによって、染色を行わずにかつらベース１０が３色以上を呈することができる。また、かつらベース１０の材料が染色性の悪い素材であったり染料に弱い素材であったりしても、染色を行う場合のような影響を受けずにかつらベース１０が３色以上を呈することができる。
【００３６】
よって、本実施の形態によれば、染色作業を省略することができるとともに外観を自然にすることができる。
また、本実施の形態では、図２及び図３に示すように、第２のベース材１４ｂは、第１のベース材１４ａと第３のベース材１４ｃとの間に配置されている。そのため、第１のベース材１４ａ、第２のベース材１４ｂ、及び第３のベース材１４ｃのそれぞれが露出することで、外観をより自然にすることができる。
【００３７】
また、本実施の形態では、第１の領域Ａ１は、かつらベース１０の周縁に位置する。そのため、かつらベース１０の周縁の色が薄くなることで、外観をより自然にすることができる。
【００３８】
また、本実施の形態では、第２の領域Ａ２は、第１の領域Ａ１よりもかつらベース１０の中央側に位置し、第３の領域Ａ３は、第２の領域Ａ２よりもかつらベース１０の中央側に位置する。そのため、かつらベース１０の周縁から中央にかけて段階的に色が濃くなることで、外観をより自然にすることができる。
【００３９】
また、本実施の形態では、第１の領域Ａ１と第２の領域Ａ２との境界（第１の境界Ｂ１）は、第１の領域Ａ１側に突出するとともに第２の領域Ａ２側に突出する凹凸形状に形成されている。また、第２の領域Ａ２と第３の領域Ａ３との境界（第２の境界Ｂ２）は、第２の領域Ａ２側に突出するとともに第３の領域Ａ３側に突出する凹凸形状に形成されている。そのため、外観をより自然にすることができる。
【００４０】
なお、第２のベース材１４ｂは、少なくとも一部が第１のベース材１４ａの一部と重なっていればよく、第１のベース材１４ａからはみ出していてもよい。同様に、第３のベース材１４ｃは、少なくとも一部が第２のベース材１４ｂの一部と重なっていればよく、第２のベース材１４ｂからはみ出していてもよい。
【００４１】
図５は、本実施の形態の第１変形例に係るかつらベース１０−１を示す平面図である。
本変形例では、第１のベース材１４ａ、第２のベース材１４ｂ、第３のベース材１４ｃを有する生え際部１４−１が、かつらベース１０−１の前頭部のみの周縁ではなく、かつらベース１０−１の全周の周縁に亘って設けられている。そのため、本変形例では、周縁部１２が省略されている。
【００４２】
なお、本変形例においても、第１のベース材１４ａ、第２のベース材１４ｂ、第３のベース材１４ｃがかつらベース１０−１の周縁に位置するが、これら複数のベース材の位置はかつらベース１０−１の周縁に限られてない。例えば、分け目やつむじ部などの露出しやすい部分など、他の部分に配置するようにしてもよい。
【００４３】
図６Ａ〜図６Ｃは、本実施の形態の第２変形例における生え際部１４−２の付け替え作業を説明するための平面図である。
図６Ａに示す生え際部１４−２は、図６Ｂに示すように切り取られた後、図６Ｃに示すように他の生え際部１４−２Ａに付け替えることができる。なお、生え際部１４−２，１４−２Ａでは、第１〜第３の領域Ａ１〜Ａ３に加えて更に第４の領域Ａ４が設けられているが、５以上の領域が設けられていてもよい。
【００４４】
生え際部１４−２は、着脱自在としてもいが、周縁部１２や分け目部１３に固定された場合でも、生え際部１４−２が周縁部１２及び分け目部１３とは独立して配置されているため、適宜切り取られることで、新たな生え際部１４−２Ａを固定することができる。
【００４５】
図７及び図８は、本発明の他の実施の形態における複数のベース材２４ａ，２４ｂ，２４ｃを簡略的に示す平面図及び断面図である。
本実施の形態では、生え際部２４において、第３のベース材２４ｃが、第１のベース材２４ａと第２のベース材２４ｂとの間に配置されている。このこと以外は、上述の一実施の形態と同様であるため、詳細な説明は省略する。
【００４６】
本実施の形態においても、第１の領域Ａ１１、第２の領域Ａ１２、及び第３の領域Ａ１３が同様に設けられる。但し、本実施の形態では、第３のベース材２４ｃが外部に露出しなくなる。そのため、図８に示す第１の境界Ｂ１１及び第３の境界Ｂ１３のみにおいて各ベース材の固定が行われ、第２の境界Ｂ１２については固定が行われないようにしてもよい。なお、本実施の形態においても、図８に示すように、第１のベース材２４ａのうち生え際部２４の前端には補強用の折り返し部２４ｄが形成されているが、省略することも可能である。
【００４７】
以上説明した他の実施の形態によっても、上述の一実施の形態と同様の構成に関しては同様の効果、すなわち、染色作業を省略することができるとともに外観を自然にすることができるなどの効果を得ることができる。
【００４８】
また、本実施の形態では、第３のベース材２４ｃは、第１のベース材２４ａと第２のベース材２４ｂとの間に配置されている。そのため、第３のベース材２４ｃと第２のベース材２４ｂとの境界である第２の境界Ｂ２における固定を省略することができる。そのため、かつらベースの製造を容易にすることができるとともに、外観をより自然にすることができる。また、第２の境界Ｂ１２の外部への露出がないことで、かつらの毛髪やかつら装着者の手が第２の境界Ｂ１２において引っかかるのを防ぐことができる。
【００４９】
なお、第２の境界Ｂ１２は、外部に露出しなくとも、外部から視認されるため、上述の一実施の形態と同様に、凹凸形状に形成されることが望ましい。
【符号の説明】
【００５０】
１      かつら
１０      かつらベース
１１      中央部
１２      周縁部
１３      分け目部
１４      生え際部
１４ａ      第１のベース材
１４ｂ      第２のベース材
１４ｃ      第３のベース材
１４ｄ      折り返し部
２０      毛髪
２４      生え際部
２４ａ      第１のベース材
２４ｂ      第２のベース材
２４ｃ      第３のベース材
２４ｄ      折り返し部
Ａ１      第１の領域
Ａ２      第２の領域
Ａ３      第３の領域
Ａ４      第４の領域
Ｂ１      第１の境界
Ｂ２      第２の境界
Ｂ３      第３の境界
【図１】
2015030937.tif 000003
【図２】
2015030937.tif 000004
【図３】
2015030937.tif 000005
【図４Ａ】
2015030937.tif 000006
【図４Ｂ】
2015030937.tif 000007
【図４Ｃ】
2015030937.tif 000008
【図５】
2015030937.tif 000009
【図６Ａ】
2015030937.tif 000010
【図６Ｂ】
2015030937.tif 000011
【図６Ｃ】
2015030937.tif 000012
【図７】
2015030937.tif 000013
【図８】
2015030937.tif 000014